(57)【特許請求の範囲】
【請求項１】
ベース体に、可動体と、該可動体を駆動する駆動手段とを配置した
遊技機において、
前記駆動手段を収容した状態で前記ベース体に固定される収容部材を備え、
前記収容部材は、互いに嵌め合わせ可能な第１部材と第２部材とを備え、
前記駆動手段は、駆動本体と、該駆動本体の駆動によって動作し且つ前記可動体と連動する駆動部材とを備え、
前記駆動本体を所定方向に押圧する弾性押圧手段を前記第２部材に設け、
前記駆動本体を挟んで前記弾性押圧手段に対向する対向支持手段を前記第１部材に設け、
前記駆動手段は前記駆動本体が前記弾性押圧手段と前記対向支持手段とで挟持されることにより所定位置に支持され、
前記第１部材と前記第２部材とを嵌め合わせることにより前記駆動本体が前記弾性押圧手段と前記対向支持手段とで挟持される
ことを特徴とする遊技機。
【請求項２】
係合手段を前記駆動部材に設け、
前記係合手段と第１特定方向に係合する被係合手段を、前記可動体と前記駆動部材とを連動させる連動手段又は前記可動体に設け、
前記弾性押圧手段は、前記駆動本体を前記第１特定方向と略直交する第２特定方向に押圧する弾性押圧手段を含む
ことを特徴とする請求項１に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、開閉式の入賞手段や、可動式の演出手段等、電磁ソレノイド等の駆動手段により動作可能な可動体が多く用いられている。この種の遊技機では、電磁ソレノイド等の駆動手段は、その本体部がねじ止めにより任意のベース体に対して固定されている場合が多い（例えば特許文献１）。
【先行技術文献】
【特許文献】
【０００３】
【特許文献１】特開２０１３−２４０４４１号公報
【発明の概要】
【発明が解決しようとする課題】
【０００４】
従来の遊技機では、駆動手段の本体部がねじ止め等によりベース体に固定されていたため、例えば不正対策のために駆動手段を保護する場合には別途保護カバー等をベース体に固定する必要があり、部品点数の増加、組み立て工程の複雑化等によりコスト高となる問題があった。
【０００５】
一方、駆動手段をベース体に直接固定せず、保護カバー等を介して間接的に固定することも考えられるが、この場合には保護カバー内で駆動手段ががたつき、駆動手段と可動体とが正確に連動しなくなる可能性がある。
【０００６】
本発明は上記事情に鑑みてなされたものであり、コストを抑えつつ、駆動手段を常に所定位置に保持することが可能な遊技機を提供することを目的とする。
【課題を解決するための手段】
【０００７】
本発明は、ベース体６９に、可動体５１と、該可動体５１を駆動する駆動手段６１とを配置した遊技機において、前記駆動手段６１を収容した状態で前記ベース体６９に固定される収容部材８７を備え、前記収容部材８７は、互いに嵌め合わせ可能な第１部材９２ａと第２部材９２ｂとを備え、前記駆動手段６１は、駆動本体６１ａと、該駆動本体６１ａの駆動によって動作し且つ前記可動体５１と連動する駆動部材６１ｂとを備え、前記駆動本体６１ａを所定方向に押圧する弾性押圧手段１０８，１４１を前記第２部材９２ｂに設け、前記駆動本体６１ａを挟んで前記弾性押圧手段１０８，１４１に対向する対向支持手段１０１，１０６を前記第１部材９２ａに設け、前記駆動手段６１は前記駆動本体６１ａが前記弾性押圧手段１０８，１４１と前記対向支持手段１０１，１０６とで挟持されることにより所定位置に支持され、前記第１部材９２ａと前記第２部材９２ｂとを嵌め合わせることにより前記駆動本体６１ａが前記弾性押圧手段１０８，１４１と前記対向支持手段１０１，１０６とで挟持されるものである。
【０００８】
また、前記駆動手段６１は、駆動本体６１ａと、該駆動本体６１ａの駆動によって動作し且つ前記可動体５１と連動する駆動部材６１ｂとを備え、前記弾性押圧手段１０８，１４１は前記駆動本体６１ａを前記所定方向に押圧するように構成してもよい。この場合、前記駆動本体６１ａを挟んで前記弾性押圧手段１０８，１４１に対向する対向支持手段１０１，１０６を備え、前記駆動手段６１は前記駆動本体６１ａが前記弾性押圧手段１０８，１４１と前記対向支持手段１０１，１０６とで挟持されることにより所定位置に支持されるように構成してもよい。
【０００９】
更に、前記収容部材８７に前記弾性押圧手段１０８，１４１と前記対向支持手段１０１，１０６とを設けてもよい。また、前記収容部材８７は、互いに嵌め合わせ可能な第１部材９２ａと第２部材９２ｂとを備え、前記第１部材９２ａに前記対向支持手段１０１，１０６を、前記第２部材９２ｂに前記弾性押圧手段１０８，１４１を夫々設けてもよい。
【００１０】
前記収容部材８７は、前記駆動部材６１ｂを前記ベース体６９の後側からのアクセスが不可能又は困難な状態に収容する駆動部材収容部８９ａを備えた構成としてもよい。また、前記可動体５１と前記駆動部材６１ｂとを連動させる連動手段６２を備え、前記収容部材８７は、前記連動手段６２を前記ベース体６９の後側からのアクセスが不可能又は困難な状態に収容する連動手段収容部８９を備えた構成としてもよい。
【００１１】
また、係合手段９９を前記駆動部材６１ｂに設け、前記係合手段９９と第１特定方向に係合する被係合手段１００を、前記可動体５１と前記駆動部材６１ｂとを連動させる連動手段６２又は前記可動体５１に設け、前記弾性押圧手段１０８，１４１は、前記駆動本体６１ａを前記第１特定方向に沿って前記係合手段９９を前記被係合手段１００に係合させる向きに押圧する第１弾性押圧手段１０８を含む構成としてもよい。また、前記弾性押圧手段１０８，１４１は、前記駆動本体６１ａを前記第１特定方向と略直交する第２特定方向に押圧する第２弾性押圧手段１４１を含む構成としてもよい。
【００１２】
前記駆動手段６１は電磁ソレノイド、前記駆動部材６１ｂは可動鉄心であり、前記第１特定方向は前記可動鉄心６１ｂに略直交する方向としてもよい。また、前記第２特定方向は前記可動鉄心６１ｂの長手方向としてもよい。
【発明の効果】
【００１３】
本発明によれば、コストを抑えつつ、駆動手段を常に所定位置に保持することが可能である。
【図面の簡単な説明】
【００１４】
【図１】本発明の第１の実施形態に係るパチンコ機における全体斜視図である。
【図２】同パチンコ機における遊技盤の正面図である。
【図３】同パチンコ機における第１，第２大入賞手段の開放パターンの一例を示す図である。
【図４】同パチンコ機における第２大入賞ユニットの正面図である。
【図５】同パチンコ機における第２大入賞ユニットの平面図である。
【図６】同パチンコ機における第２大入賞ユニットの背面図である。
【図７】同パチンコ機における第２大入賞ユニットの正面断面図である。
【図８】同パチンコ機における第２大入賞ユニットの側面断面図である。
【図９】同パチンコ機における第２大入賞ユニットの側面断面図である。
【図１０】同パチンコ機における第２大入賞ユニットの平面断面図である。
【図１１】同パチンコ機における第２大入賞ユニットの側面断面図である。
【図１２】同パチンコ機における第２大入賞ユニットの斜視図である。
【図１３】同パチンコ機における第２大入賞ユニットの分解斜視図である。
【図１４】同パチンコ機における第２大入賞ユニットの分解斜視図である。
【図１５】同パチンコ機における第２大入賞ユニットの分解斜視図である。
【図１６】同パチンコ機における第２大入賞手段の開閉駆動系の説明図である。
【図１７】本発明の第２の実施形態に係るパチンコ機における第２大入賞ユニットの斜視図である。
【図１８】同パチンコ機における第２大入賞ユニットの側面断面図である。
【図１９】本発明の第３の実施形態に係るパチンコ機における第２大入賞ユニットの平面断面図である。
【図２０】同パチンコ機における開閉駆動手段及び駆動ケースの分解斜視図である。
【発明を実施するための形態】
【００１５】
以下、本発明の実施形態を図面に基づいて詳述する。図１〜図１６は本発明をパチンコ機に採用した第１の実施形態を例示している。図１において、遊技機本体１は、正面視矩形状の外枠２と、この外枠２の前側に左右一側、例えば左側のヒンジ３により開閉自在に枢着された前枠４とを備えている。前枠４の前側には、ガラス扉５と下部扉６とが上下に隣接して配置され、夫々ヒンジ３と同じ側のヒンジ７により前枠４に開閉自在に枢支されている。もちろん、ガラス扉５と下部扉６とを一体に形成してもよい。
【００１６】
下部扉６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々配置されている。更に、上皿８等を前側から覆う上皿カバー１１上には、演出用の操作ボタン１２，１３、球貸し操作部１４等が配置されている。
【００１７】
前枠４には、ガラス扉５の後側に対応して、図２に示す遊技盤１５が着脱自在に装着されている。遊技盤１５は例えばベニヤ、ポリカーボネート等の板材により構成されており、その前面側には、発射手段により発射された遊技球を案内するガイドレール１６が環状に装着されると共に、そのガイドレール１６の内側の遊技領域１７に、中央表示ユニット２１、始動入賞ユニット２２、第１大入賞ユニット２３、第２大入賞ユニット２４、普通入賞ユニット２５等のユニット部品の他、多数の遊技釘（図示省略）が配置されている。また、それら複数のユニット部品２１〜２５に、普通図柄表示手段２７、普通保留個数表示手段２８、第１特別図柄表示手段２９ａ、第２特別図柄表示手段２９ｂ等の各種表示手段の他、普通図柄始動手段３１、第１特別図柄始動手段３２、第２特別図柄始動手段３３、第１大入賞手段３４、第２大入賞手段３５、複数の普通入賞手段３６等が設けられている。
【００１８】
中央表示ユニット２１は、液晶表示手段等よりなる画像表示手段３７の表示枠を構成するもので、例えば遊技領域１７の左右方向略中央における上部側に配置されており、例えば遊技盤１５の裏側に支持される画像表示手段３７に対応して遊技盤１５の前側に着脱自在に固定されている。なお、画像表示手段３７は、演出図柄表示手段３８、第１特別保留個数表示手段３９ａ、第２特別保留個数表示手段３９ｂ等を構成している。
【００１９】
中央表示ユニット２１は、遊技盤１５の前面側に当接し且つ固定ねじ等により遊技盤１５に固定される前面板４１と、画像表示手段３７等に対応する内部領域２１ａを略取り囲むように例えば前面板４１の前側に突設される表示枠４２とを例えば一体に備えており、発射手段により遊技領域１７の上部側に打ち込まれた遊技球は、表示枠４２の頂部で左右に振り分けられ、中央表示ユニット２１の左側の左流下経路４３ａと右側の右流下経路４３ｂとの何れかを流下するようになっている。
【００２０】
中央表示ユニット２１の前側には、例えば右側下部に、遊技球が通過可能な通過ゲート等よりなる普通図柄始動手段３１が配置されており、右流下経路４３ｂを流下する遊技球がこの普通図柄始動手段３１を通過可能となっている。普通図柄始動手段３１は、普通図柄表示手段２７による普通図柄の変動表示を開始させるためのもので、通過球を検出可能な通過検出手段３１ａを備えている。
【００２１】
この普通図柄始動手段３１の通過検出手段３１ａによる遊技球の検出を契機として作動する普通図柄表示手段２７は、例えば「○」「×」の２種類の普通図柄に対応する２個の発光体（例えばＬＥＤ）により構成され、中央表示ユニット２１の前側等に配置されており、遊技球が普通図柄始動手段３１を通過し、通過検出手段３１ａがその遊技球を検出することを条件にそれら２つの発光体が所定時間交互に点滅して、通過検出手段３１ａによる遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２２】
また、普通図柄表示手段２７の変動表示中、又は後述する普通利益状態中に普通図柄始動手段３１の通過検出手段３１ａが遊技球を検出した場合には、その検出時に取得した当たり判定乱数値等よりなる乱数情報を予め定められた上限保留個数、例えば４個を限度として記憶すると共に、例えば上限保留個数と同数の発光体よりなる普通保留個数表示手段２８がその発光個数により乱数情報の記憶個数（以下、普通保留個数）を表示して、その時点での普通保留個数を遊技者に報知するようになっている。なお、普通保留個数表示手段２８は例えば中央表示ユニット２１の前側等に配置されている。
【００２３】
また、中央表示ユニット２１には、左右一側、例えば左側にワープ入口４４が設けられ、また画像表示手段３７の前側下部に、ワープ入口４４に入球した遊技球を自由に転動させて左右方向中央の中央落下部４５又はその側方から落下させるステージ４６が設けられている。
【００２４】
中央表示ユニット２１の下側には、遊技領域１７の左右方向略中央に始動入賞ユニット２２と第１大入賞ユニット２３とが上下に隣接して配置され、またその右側に第２大入賞ユニット２４が、左側に普通入賞ユニット２５が夫々配置されている。そして、第１特別図柄始動手段３２と第２特別図柄始動手段３３とが始動入賞ユニット２２に、第１大入賞手段３４が第１大入賞ユニット２３に、第２大入賞手段３５が第２大入賞ユニット２４に、複数（ここでは３つ）の普通入賞手段３６が普通入賞ユニット２５に、夫々設けられている。
【００２５】
第１特別図柄始動手段３２は、第１特別図柄表示手段２９ａによる図柄変動を開始させるためのもので、例えば開閉手段を有しない非開閉式の入賞手段により構成され、入賞した遊技球を検出する遊技球検出手段３２ａを備えている。この第１特別図柄始動手段３２は、例えば中央表示ユニット２１の中央落下部４５の下側に上向き開口状に配置されており、左流下経路４３ａ側のワープ入口４４からステージ４６を経て入賞するルートが存在すること等により、右流下経路４３ｂを流下してきた遊技球よりも左流下経路４３ａを流下してきた遊技球の方が高い確率で入賞可能となっている。
【００２６】
第２特別図柄始動手段３３は、第２特別図柄表示手段２９ｂによる図柄変動を開始させるためのもので、例えば左右一対の開閉手段４７の作動によって遊技球が入賞可能な開状態と入賞不可能（又は開状態よりも入賞困難）な閉状態とに変化可能な開閉式入賞手段により構成され、入賞した遊技球を検出する遊技球検出手段３３ａを備えており、普通図柄表示手段２７の変動後の停止図柄が当たり態様となった場合に、開閉手段４７が所定時間閉状態から開状態に変化するようになっている。この第２特別図柄始動手段３３は、例えば第１特別図柄始動手段３２の下側に配置されており、釘配置等により、例えば左流下経路４３ａを流下してきた遊技球よりも右流下経路４３ｂを流下してきた遊技球の方が高い確率で入賞可能となっている。
【００２７】
なお、第１特別図柄始動手段３２への遊技球の入賞を条件として作動する第１特別図柄表示手段２９ａと、第２特別図柄始動手段３３への遊技球の入賞を条件として作動する第２特別図柄表示手段２９ｂとは、例えば中央表示ユニット２１の前側に配置され、それぞれ１個又は複数個、例えば各１個の第１，第２特別図柄を変動表示可能な７セグメント式等の表示手段により構成されており、第１特別図柄表示手段２９ａは第１特別図柄始動手段３２に遊技球が入賞することを条件に、また第２特別図柄表示手段２９ｂは第２特別図柄始動手段３３に遊技球が入賞することを条件に、夫々第１，第２特別図柄を所定時間変動表示して、それら第１，第２特別図柄始動手段３２，３３への遊技球入賞時に取得された大当たり判定乱数値が予め定められた大当たり判定値と一致する場合には所定の大当たり態様で、それ以外の場合には外れ態様で夫々停止するようになっている。
【００２８】
なお、第１特別図柄及び第２特別図柄には数字図柄等を用いてもよいが、遊技者が停止図柄態様の種類を容易に区別できないように、任意の線や点の組み合わせのような特別な意味を持たない図柄を用いることが望ましい。
【００２９】
また、第１，第２特別図柄の変動表示中、又は後述する特別利益状態中に第１，第２特別図柄始動手段３２，３３に遊技球が入賞した場合には、その入賞時に取得した大当たり判定乱数値等をそれぞれ所定の上限保留個数、例えば各４個を限度として記憶すると共に、第１，第２特別保留個数表示手段３９ａ，３９ｂが夫々大当たり判定乱数値の記憶個数（以下、第１，第２特別保留個数という）を表示して、その時点での第１，第２特別保留個数を遊技者に報知するようになっている。
【００３０】
なお本実施形態では、特別利益状態中には第１，第２特別図柄表示手段２９ａ，２９ｂの図柄変動を開始しない他、第１，第２特別図柄表示手段２９ａ，２９ｂの何れか一方の図柄変動中には他方の図柄変動を開始せず、両方が同時に変動中となることはないように制御される。更に、第１，第２特別図柄表示手段２９ａ，２９ｂが共に図柄変動を開始可能な状態となった場合には、第１特別図柄表示手段２９ａの図柄変動よりも第２特別図柄表示手段２９ｂの図柄変動を優先して行うように制御される。
【００３１】
また、それら第１，第２特別図柄表示手段２９ａ，２９ｂによる第１，第２特別図柄の変動中は、画像表示手段３７上の演出図柄表示手段３８によって演出図柄が変動表示されるようになっている。演出図柄表示手段３８は、１個又は複数個、例えば左右方向に３個の演出図柄を例えば各種の演出画像と共に変動表示可能に構成されており、第１，第２特別図柄の変動開始と同時に所定の変動パターンに従って演出図柄の変動を開始すると共に、第１，第２特別図柄の変動停止と同時に最終停止するよう、演出図柄を左、右、中等の所定の順序で停止させるようになっている。
【００３２】
なお、上述したように第１，第２特別図柄表示手段２９ａ，２９ｂは同時に変動することはないため、演出図柄表示手段３８の演出図柄は第１，第２特別図柄の何れか一方と同期して変動するが、演出図柄表示手段３８は第１，第２特別図柄の変動内容とは直接関係のない演出を行う場合があってもよい。
【００３３】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。また、演出図柄表示手段３８による演出図柄の変動後の停止図柄は、第１，第２特別図柄表示手段２９ａ，２９ｂによる第１，第２特別図柄が大当たり態様で停止する場合には大当たり態様となり、第１，第２特別図柄が外れ態様で停止する場合には任意の外れ態様となる。
【００３４】
第１大入賞手段３４は、開閉部材４８の作動によって遊技球が入賞可能な開状態と入賞不可能な閉状態とに変化可能な開閉式入賞手段により構成され、例えば第１，第２特別図柄始動手段３２，３３の下側に配置されている。第１大入賞手段３４の開閉部材４８は、例えば前向き開口状に形成された第１大入賞口４９に対応する横長矩形状の板状体で、下部側に設けられた左右方向の回転軸廻りに揺動可能となっており、閉状態のときには遊技盤１５の前面に沿って第１大入賞口４９を閉鎖し、開状態のときには上部側が遊技盤１５の前面よりも前側に突出することにより後ろ下がりの傾斜状となってその上側に落下してきた遊技球を第１大入賞口４９内に案内するようになっている。なお第１大入賞手段３４は、入賞した遊技球を検出する遊技球検出手段３４ａを備えている。
【００３５】
第２大入賞手段３５は、開閉部材５１の作動によって遊技球が入賞可能な開状態と入賞不可能な閉状態とに変化可能な開閉式入賞手段により構成され、例えば第１，第２特別図柄始動手段３２，３３及び第１大入賞手段３４よりも上流側で且つ普通図柄始動手段３１よりも下流側の右流下経路４３ｂ上に配置されている。第２大入賞手段３５の開閉部材５１は、例えば前向き開口状に形成された第２大入賞口５２に対応する横長矩形状の板状体で、下部側に設けられた左右方向の回転軸廻りに揺動可能となっており、閉状態のときには遊技盤１５の前面に沿って第２大入賞口５２を閉鎖し、開状態のときには上部側が遊技盤１５の前面よりも前側に突出することにより後ろ下がりの傾斜状となってその上側に落下してきた遊技球を第２大入賞口５２内に案内するようになっている。
【００３６】
また、第２大入賞手段３５は、複数の領域、例えば特定領域５３ａ及び通常領域５３ｂと、第２大入賞口５２に入賞した遊技球を特定領域５３ａと通常領域５３ｂとに振り分ける例えば可動式の振り分け手段５４と、特定領域５３ａに流入した遊技球を検出する特定遊技球検出手段５５ａと、通常領域５３ｂに流入した遊技球を検出する通常遊技球検出手段５５ｂと、入賞した遊技球を例えば振り分け手段５４よりも上流で検出する遊技球検出手段３５ａとを備えている。第２大入賞口５２に入賞した遊技球は、遊技球検出手段３５ａで検出された後、振り分け手段５４によって特定領域５３ａと通常領域５３ｂとの何れかに案内され、特定遊技球検出手段５５ａと通常遊技球検出手段５５ｂとの何れかで検出された後に遊技盤１５の裏側に案内されるようになっている。
【００３７】
特定領域５３ａと通常領域５３ｂとは例えば左右に隣接して配置されており、振り分け手段５４は、図７等に示すように、例えば特定領域５３ａと通常領域５３ｂとの間に対応してその上側に配置される振り分け片５６と、この振り分け片５６を駆動する振り分け駆動手段５７とを備えている。振り分け片５６は、振り分け駆動手段５７によって所定のパターンで左右に往復移動することにより、特定領域５３ａ側への流入を阻止しつつ通常領域５３ｂ側へ遊技球を案内する通常案内状態（図７に実線で示す）と、通常領域５３ｂ側への流入を阻止しつつ特定領域５３ａ側へ遊技球を案内する特定案内状態（図７に一点鎖線で示す）とに切り換え可能となっている。第１，第２特別図柄表示手段２９ａ，２９ｂの何れかの変動後の停止図柄が大当たり態様となった場合に発生する特別利益状態中に第２大入賞手段３５が開放し、その第２大入賞手段３５に入賞した遊技球が特定領域５３ａ側に案内された場合には、その特別利益状態の終了後に例えば確変状態が発生し、通常領域５３ｂ側に案内された場合には例えば時短状態が発生する。
【００３８】
時短状態中は、第１，第２特別図柄に関して変動時間が通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、第２特別図柄始動手段３３の開閉パターンが通常開閉パターン（例えば０．２秒×１回開放）から特別開閉パターン（例えば２秒×３回開放）へ、夫々切り換えられるようになっている。なお、時短状態は例えば特別利益状態の終了後に開始し、その後に第１，第２特別図柄が合わせて所定回数（例えば５０回）変動するか、それまでに次の特別利益状態が開始された時点で終了する。
【００３９】
確変状態中は、それ以外の通常確率状態中よりも大当たり判定値の数が例えば１個から１０個へ増加されることにより、第１，第２特別図柄が大当たり態様となる確率が通常確率（例えば１／３５０）よりも高い高確率（例えば１／３５）に切り換えられると共に、例えば時短状態と同様の処理も併せて行われるようになっている。なお、確変状態は例えば特別利益状態の終了後に開始し、次の特別利益状態が開始された時点で終了するが、次の特別利益状態が開始されるまでに所定の終了条件が成立（特別図柄が所定回数変動、転落抽選に当選等）した場合にはその時点で終了するようにしてもよい。
【００４０】
なお、第１大入賞手段３４及び第２大入賞手段３５は、特別利益状態中に所定の開放パターンに従って開放するようになっている。第１，第２大入賞手段３３，３４の開放パターンは、例えば第１，第２大入賞手段３４，３５の何れかが開放してから所定時間（例えば２９秒）経過するかそれまでに所定個数（例えば１０個）の遊技球が入賞することを条件に閉鎖する動作を１ラウンドとして、所定のラウンド間インターバル期間を挟んで所定ラウンド繰り返すように設定されている。
【００４１】
第１，第２大入賞手段３４，３５の開放パターンは、例えば大当たり態様の種類、その特別利益状態の終了後に発生する特別遊技状態の種類等に応じて複数種類の中から選択されるものとする。図３は、終了後に確変状態が発生することとなる特別利益状態における開放パターン（確変開放パターンという）の一例を示したものである。この確変開放パターンは全１３ラウンドで構成されており、そのうちの第６ラウンドが第２大入賞手段３５を開放する特別ラウンド、その他の第１〜第５，第７〜第１３ラウンドが第１大入賞手段３４を開放する通常ラウンドとなっている。
【００４２】
第２大入賞手段３５を開放する第６ラウンドは、例えば第１大入賞手段３４を開放するその他のラウンドに比べて短い開放時間（例えば１５秒）に設定されている。また、この第６ラウンド中は、第２大入賞手段３５に設けられた振り分け手段５４が特定案内状態となっている時間が通常案内状態となっている時間に比べて非常に長く、従って第２大入賞手段３５に入賞した遊技球は極めて高い確率で特定領域５３ａ側へ案内されるようになっている。
【００４３】
なお、図示は省略するが、終了後に確変状態が発生しない（時短状態が発生する）特別利益状態における開放パターン（非確変開放パターンという）の場合には、第２大入賞手段３５を開放する特別ラウンドの開放時間が極めて短いか、又は振り分け手段５４が特定案内状態となっている時間が通常案内状態となっている時間に比べて非常に短いことにより、遊技球が特定領域５３ａに案内される確率が極めて低くなるように設定される。
【００４４】
続いて、第２大入賞ユニット２４の構成について、図４〜図１６等を参照しつつ更に詳しく説明する。第２大入賞ユニット２４は、第２大入賞手段３５等を備え、遊技盤１５に形成された前後方向貫通状の装着孔１５ａ（図１０参照）に対して前側から着脱自在に装着されている。第２大入賞手段（入球手段）３５は、上述した第２大入賞口（入球口）５２、開閉部材５１、遊技球検出手段３５ａ、特定領域５３ａ、通常領域５３ｂ、特定遊技球検出手段５５ａ、通常遊技球検出手段５５ｂ、振り分け手段５４の他、開閉部材５１を開閉駆動する開閉駆動手段（駆動手段）６１、この開閉駆動手段６１の駆動力を開閉部材（可動体）５１に伝達する連動手段６２、第２大入賞口５２に入賞した遊技球を受け入れる入賞室６３、この入賞室６３内の遊技球を振り分け手段５４の振り分け片５６側に案内する入賞案内通路６４、この入賞案内通路６４の下流側で特定領域５３ａ側と通常領域５３ｂ側とに分岐する特定分岐通路６５ａ、通常分岐通路６５ｂ等を備えている。
【００４５】
第２大入賞ユニット２４は、図１３等に示すように、遊技盤１５の装着孔１５ａに対して前側から装着・固定されるユニット本体部（遊技盤装着体）６６と、このユニット本体部６６の前側に着脱自在に装着される前装着板６７及び誘導装飾体（支持状態保持手段）６８とを備えている。またユニット本体部６６は、図１３，図１４等に示すように、ベース体６９と、このベース体６９の後側に着脱自在に装着される開閉駆動系ユニット７０とを備えている。
【００４６】
ベース体６９は例えば合成樹脂製で、遊技盤１５の前面に沿って配置される台板７１と、この台板７１の後側に設けられ且つ遊技盤１５の装着孔１５ａ内に配置されるケース体７２とを備えている。台板７１は、その外縁側がケース体７２に対して鍔状に突出しており、この突出部７１ａが装着孔１５ａの周囲で遊技盤１５の前面に当接し、例えば木ねじにより遊技盤１５に固定されている。
【００４７】
台板７１には、図１３等に示すように、第２大入賞口（入球口）５２、普通入賞開口部（開口部）７３、振り分け視認窓７４及び配線孔７５が夫々開口状に形成されている。第２大入賞口５２は、例えば台板７１の左右方向略中央における上縁側に沿って横長矩形状に形成されている。普通入賞開口部７３は、例えば遊技球が１個通過可能な大きさで、第２大入賞口５２の側方、例えば右側に配置されている。振り分け視認窓７４は、振り分け手段５４による振り分けの様子を前側から視認可能とするためのもので、ケース体７２内に配置される特定領域５３ａ及び通常領域５３ｂに対応して例えば台板７１の下部左側に配置されている。配線孔７５は、台板７１の前側から後側に配線を通すためのもので、例えば台板７１の下部右側に配置されている。
【００４８】
台板７１の後側には、第２大入賞口５２の後側に対応して開閉駆動系ユニット７０が着脱自在に装着され、またその開閉駆動系ユニット７０の装着部を除く部分にケース体７２が配置されている。ケース体７２は、前ケース体７６と後ケース体７７とを嵌め合わせることにより前後に扁平な略箱形に形成され、前ケース体７６が台板７１の背面側に一体に設けられている。そして、図１０に示すようにケース体７２の略全体が遊技盤１５の装着孔１５ａ内に収容されて、後ケース体７７の背壁７７ａが遊技盤１５の背面と略面一となるように構成されている。
【００４９】
ケース体７２内には、図７等に示すように、入賞案内通路６４、特定分岐通路６５ａ、通常分岐通路６５ｂ、特定領域５３ａ、通常領域５３ｂ、特定遊技球検出手段５５ａ、通常遊技球検出手段５５ｂ、振り分け手段５４等が配置されている。
【００５０】
入賞案内通路６４は、第２大入賞口５２の下側の例えば左寄りの位置に配置され、その下流端側に、例えば左右に分岐する特定分岐通路６５ａと通常分岐通路６５ｂとが設けられている。特定分岐通路６５ａと通常分岐通路６５ｂとの下流端側には夫々特定領域５３ａと通常領域５３ｂとが設けられ、また例えば特定分岐通路６５ａ、通常分岐通路６５ｂに夫々特定遊技球検出手段５５ａ、通常遊技球検出手段５５ｂが配置されている。なお背壁７７ａには、図６に示すように、特定領域５３ａ、通常領域５３ｂに案内された遊技球を遊技盤１５の後側に排出する特定排出口７８ａ、通常排出口７８ｂが形成されている。
【００５１】
また入賞案内通路６４の側方、例えば右側には、図７に示すように、電磁ソレノイド等よりなる振り分け駆動手段５７が、例えば可動鉄心５７ａを入賞案内通路６４側、即ち左側に向けた状態で装着されている。可動鉄心５７ａには振り分け可動部材７９が固定されている。振り分け可動部材７９は、例えばケース体７２の後側で左右方向移動可能に支持されており、その一端側が可動鉄心５７ａに固定され、他端側に設けられた振り分け片５６が、背壁７７ａに形成された左右方向の長孔８０を経て、特定分岐通路６５ａと通常分岐通路６５ｂとの分岐部分に対応してケース体７２内に突出している。
【００５２】
これにより、振り分け駆動手段５７が作動して可動鉄心５７ａが例えば突出状態から退避状態へと右向きに移動すると、それに応じて振り分け可動部材７９も右向きに移動し、振り分け片５６が特定案内状態、即ち通常領域５３ｂ側への流入を阻止しつつ特定領域５３ａ側へ遊技球を案内する状態（図７に一点鎖線で示す）となる。また、その状態で振り分け駆動手段５７の作動が停止し、可動鉄心５７ａが退避状態から突出状態に復帰すると、それに応じて振り分け可動部材７９も左向きに移動し、振り分け片５６が通常案内状態、即ち特定領域５３ａ側への流入を阻止しつつ通常領域５３ｂ側へ遊技球を案内する状態（図７に実線で示す）となる。
【００５３】
第２大入賞口５２に入賞して入賞案内通路６４に流入した遊技球は、入賞案内通路６４の下流側で振り分け片５６によって特定分岐通路６５ａと通常分岐通路６５ｂとの何れかに案内される。そして、特定分岐通路６５ａ側に案内された遊技球は特定遊技球検出手段５５ａで検出された後、特定領域５３ａを通過して特定排出口７８ａから遊技盤１５の後側に排出される。同様に、通常分岐通路６５ｂ側に案内された遊技球は通常遊技球検出手段５５ｂで検出された後、通常領域５３ｂを通過して通常排出口７８ｂから遊技盤１５の後側に排出される。
【００５４】
またケース体７２内には、図７，図８，図１０，図１３等に示すように、普通入賞開口部７３を通過した遊技球を後向きに案内する普通案内通路８１が例えば略前後方向に設けられている。またケース体７２の背面側には、図５，図６，図８，図１０等に示すように、普通案内通路８１によって案内されてきた遊技球を遊技盤１５の後側で例えば下向きに排出する普通排出通路８２が例えば一体に設けられると共に、例えばその普通排出通路８２の下流端側に、遊技球を検出する遊技球検出手段８３が着脱自在に装着されている。
【００５５】
更にケース体７２には、図７に示すように、磁気センサ８４、振動センサ８５等、主に不正防止を目的とする各種センサが装着されている。またケース体７２の背面側には、図６，図９等に示すように中継基板８６が着脱自在に固定されている。
【００５６】
開閉駆動系ユニット７０は、図５〜図７，図９〜図１５等に示すように、開閉駆動手段６１と、連動手段６２と、遊技球検出手段３５ａと、収容部材８７とを備えている。収容部材８７は、開閉駆動手段６１を収容する駆動手段収容部８８、連動手段６２を収容する連動手段収容部８９、入賞室６３等を構成するもので、図１５等に示すように、ベース体６９に着脱自在に固定される入賞室部材９１と、この入賞室部材９１の後側に着脱自在に装着される駆動ケース９２とを備えている。
【００５７】
なお連動手段６２は、図１６等に示すように、開閉駆動手段（駆動手段）６１と開閉部材（可動体）５１との間に直列に配列された複数、例えば二つの駆動側連動部材９３、扉側連動部材９４を備えており、連動手段収容部８９は、駆動側連動部材９３をベース体６９の後側からのアクセスが不可能（又は困難）な状態に収容する第１連動手段収容部８９ａと、扉側連動部材９４をベース体６９の後側からのアクセスが不可能（又は困難）な状態に収容する第２連動手段収容部８９ｂとを備えている。
【００５８】
入賞室部材９１は例えば合成樹脂製で、図７，図１１，図１４等に示すように、第２大入賞口５２の後側に配置され且つ前側が開放した略箱形の入賞室６３が一体に設けられている。入賞室６３の底壁６３ａには、例えばその左右方向一端側に、入賞案内通路６４の上流端側に対応する流下口９５が設けられている。底壁６３ａは、流下口９５側が低い傾斜状に形成されており、第２大入賞口５２を経て入賞室６３内に流入した遊技球を流下口９５側に案内するようになっている。また、入賞室部材９１の下側には遊技球検出手段３５ａが着脱自在に装着されており、流下口９５内に落下した遊技球は、この遊技球検出手段３５ａで検出された後、入賞案内通路６４に流入する。
【００５９】
また開閉部材５１は、図９，図１１，図１５等に示すように、台板７１と入賞室部材９１との間で揺動自在に支持されている。即ち、開閉部材５１は、第２大入賞口５２に対応する横長矩形状の板状体で、その下部両端側に左右一対の回転軸５１ａ，５１ａが突設されており、この回転軸５１ａ，５１ａを支持する軸受部９６，９６（図１５）が、台板７１と入賞室部材９１との間に形成されている。開閉部材５１の左右方向一端側、例えば右端側には、連動手段６２からの駆動力を受ける被駆動片９７が例えば後向きに突設されており、この被駆動片９７に例えば前向き凹入状の被係合部９７ａが形成されている。入賞室部材９１には、この被駆動片９７の後側に対応して駆動係合室９８が設けられている（図９，図１０参照）。
【００６０】
駆動ケース９２は例えば合成樹脂製で、図１４，図１５等に示すように、互いに嵌め合わせ可能な前ケース体（第１部材）９２ａと後ケース体（第２部材）９２ｂとで略箱形に構成されており、入賞室部材９１に対して例えば共通の固定ねじで共締めすることにより固定されている。
【００６１】
入賞室部材９１と駆動ケース９２との間には、駆動係合室９８の後側に対応して第２連動手段収容部８９ｂが形成されており、図９，図１０，図１５に示すようにこの第２連動手段収容部８９ｂ内に、扉側連動部材９４がベース体６９の後側からのアクセスが不可能（又は困難）な状態で収容されている。扉側連動部材９４は、例えば開閉部材５１の回転軸５１ａと平行な左右方向の回転軸９４ｃ廻りに揺動可能に支持されており、図１６等に示すように、回転軸９４ｃに対して例えば後側に突出する第１連動アーム９４ａと、回転軸９４ｃに対して例えば後側に突出する第２連動アーム９４ｂとを一体に備え、第２連動アーム９４ｂの先端部が、駆動係合室９８内で開閉部材５１の被係合部９７ａに後側から係合している。なお、回転軸９４ｃは例えば前ケース体９２ａに一体に形成されている。
【００６２】
駆動ケース９２には、図９，図１０，図１５に示すように、例えば第２連動手段収容部８９ｂの後側に対応して第１連動手段収容部８９ａが、入賞室６３の後側に対応して駆動手段収容部８８が夫々設けられている。第１連動手段収容部８９ａ内では、駆動側連動部材９３が、例えば扉側連動部材９４の回転軸９４ｃと直交する前後方向の回転軸９３ｃ廻りに揺動可能に支持されている。駆動側連動部材９３は、図１６等に示すように、回転軸９３ｃに対して例えば下側に突出する第１連動アーム９３ａと、回転軸９３ｃに対して例えば右側に突出する第２連動アーム９３ｂとを一体に備え、第２連動アーム９３ｂの先端側が、扉側連動部材９４側の第１連動アーム９４ａの先端側に係合している。
【００６３】
また駆動ケース９２には、図１０等に示すように、駆動手段収容部８８と第１連動手段収容部８９ａとに跨がって開閉駆動手段６１が横向きに収容されている。開閉駆動手段６１は、例えば電磁ソレノイドにより構成されており、ソレノイド本体（駆動本体）６１ａが駆動手段収容部８８内に収容され、そのソレノイド本体６１ａから右側の第１連動手段収容部８９ａ内に可動鉄心（駆動部材）６１ｂが略水平に突出している。このように、第１連動手段収容部８９ａ内には駆動側連動部材９３と共に開閉駆動手段６１の可動鉄心６１ｂが収容されている。即ち、第１連動手段収容部８９ａが駆動部材収容部の一例である。
【００６４】
そして図１６等に示すように、開閉駆動手段６１の可動鉄心６１ｂに設けられた係合手段９９と、駆動側連動部材９３の第１連動アーム９３ａに設けられた被係合手段１００とが第１連動手段収容部８９ａ内で係脱自在に係合している。即ち、可動鉄心６１ｂ側の係合手段９９は、例えば半径方向に張り出す鍔状に形成され、また第１連動アーム９３ａ側の被係合手段１００は、例えば後向きに突出する左右一対の係合ピンにより構成されており、被係合手段１００を構成する一対の係合ピンが、可動鉄心６１ｂ側の係合手段９９を可動鉄心６１ｂの軸方向における両側（左右両側）から挟み込むように前後方向（第１特定方向）に係合している。
【００６５】
これにより、開閉駆動手段６１が作動して可動鉄心６１ｂが例えば突出状態から退避状態へと左向きに移動すると、それに応じて駆動側連動部材９３及び扉側連動部材９４が夫々所定方向に揺動し、扉側連動部材９４の第２連動アーム９４ｂが上昇するため、開閉部材５１は前向きに所定角度揺動して後ろ下がりの傾斜状となり、第２大入賞口５２を開放する（図１６参照）。また、その状態で開閉駆動手段６１の作動が停止し、可動鉄心６１ｂが退避状態から突出状体に復帰すると、それに応じて駆動側連動部材９３及び扉側連動部材９４が夫々開放時とは逆の方向に揺動し、扉側連動部材９４の第２連動アーム９４ｂが下降するため、開閉部材５１は台板７１と略面一となるまで後向きに揺動して第２大入賞口５２を閉鎖する。
【００６６】
なお以上説明したように、収容部材８７は、開閉駆動手段６１の可動鉄心６１ｂ及び駆動側連動部材９３をベース体６９の後側からのアクセスが不可能（又は困難）な状態に収容する第１連動手段収容部８９ａと、扉側連動部材９４をベース体６９の後側からのアクセスが不可能（又は困難）な状態に収容する第２連動手段収容部８９ｂとを備えているため、第２大入賞手段３５の不正開放行為を効果的に防止できる。
【００６７】
駆動手段収容部８８は、図１５等に示すように、前後に対向する前壁部１０１及び後壁部１０２と、上下に対向する上壁部１０３及び下壁部１０４と、左右に対向する左壁部１０５及び右壁部１０６とを備え、それら６つの壁部１０１〜１０６によりソレノイド本体６１ａを前後、上下及び左右から挟み込むことにより保持している。前壁部１０１及び右壁部１０６は前ケース体９２ａに、後壁部１０２は後ケース体９２ｂに夫々設けられ、その他の上壁部１０３、下壁部１０４及び左壁部１０５は夫々前ケース体９２ａと後ケース体９２ｂとに跨がって設けられている。なお、各壁部１０１〜１０６の少なくとも一部に、ソレノイド本体６１ａ側に突出するリブ１０７を設けてもよい。右壁部１０６は、駆動手段収容部８８と第１連動手段収容部８９ａとの境界を形成するもので、この右壁部１０６に形成された開口部１０６ａを介して可動鉄心６１ｂが第１連動手段収容部８９ａ側に突出している。
【００６８】
また例えば後壁部１０２には、図６，図１０，図１１，図１５に示すように、ソレノイド本体６１ａを前後方向（第１特定方向）における前向き、即ち可動鉄心６１ｂ側の係合手段９９を駆動側連動部材９３側の被係合手段１００に係合させる向きに押圧する弾性押圧手段（第１弾性押圧手段）１０８が一体に設けられている。即ち、後壁部１０２には、例えば略Ｕ字状のスリット１０９が形成されており、その内側の舌状部分が弾性押圧手段１０８となっている。弾性押圧手段１０８は、その先端部内面側に突起状の押圧部１０８ａを例えば一体に備えており、この押圧部１０８ａがソレノイド本体６１ａの背面側に当接し、弾性押圧手段１０８が外向きに弾性変形することにより、ソレノイド本体６１ａは駆動手段収容部８８内で前向きに弾性付勢される。これにより、図１０等に示すように、ソレノイド本体６１ａはその前面側が前壁部（対向支持手段）１０１に当接した状態に位置決めされ、またその状態が確実に保持される。
【００６９】
このように、開閉駆動手段６１は駆動手段収容部８８内に収容された状態で弾性押圧手段１０８により前向きに押圧されることにより、ソレノイド本体６１ａの前面側が前壁部１０１に当接した状態で位置決め・保持されるため、例えば駆動手段収容部８８とソレノイド本体６１ａとの間に前後方向のガタがあったとしても、可動鉄心６１ｂ側の係合手段９９と駆動側連動部材９３側の被係合手段１００との係合状態を確実に維持できる。
【００７０】
台板７１に戻って説明を続ける。台板７１の前面側には、図１３，図１４等に示すように、前装着板装着領域１１１と誘導装飾体装着領域１１２とが例えば上下に隣接して設けられており、前装着板装着領域１１１に対応して前装着板６７が、誘導装飾体装着領域１１２に対応して誘導装飾体６８が夫々装着されている。前装着板装着領域１１１は、台板７１の上部側における第２大入賞口５２を除く略全面に対応する領域であり、普通入賞開口部７３はこの前装着板装着領域１１１内に配置されている。誘導装飾体装着領域１１２は、台板７１の下部側の略全面に対応する領域であり、振り分け視認窓７４及び配線孔７５はこの誘導装飾体装着領域１１２内に配置されている。
【００７１】
前装着板６７は、図４，図８〜図１５等に示すように、例えば透光性を有する合成樹脂により、台板７１側の前装着板装着領域１１１に対応する形状の板状に形成されている。この前装着板６７は、例えばその前面側に任意の装飾が施されており、例えば任意の模様、キャラクター等が描かれた装飾シート１１３を挟んで台板７１の前面側に装着され、支持手段１１４によりユニット本体部（遊技盤装着体）６６に対して着脱可能に支持されている。なお、前装着板６７が台板７１の前側に装着された状態で、その前側を遊技球が通過可能となっている。
【００７２】
本実施形態の前装着板６７は、上部側に第２大入賞口５２に対応する例えば切欠状の入球口配置部１１５（図１３，図１４）が設けられているが、普通入賞開口部７３に対応する入球樋等は設けられていない。即ち、普通入賞開口部７３は前装着板６７により遊技球が通過不可能な状態に閉鎖されている（図８参照）。
【００７３】
また本実施形態では、支持手段１１４として、第１支持手段１１６と第２支持手段１１７，１１８とを設けている。第１支持手段１１６は、ユニット本体部６６に対して前装着板６７を少なくとも前後方向、即ち台板７１に略垂直な方向（第１方向）に支持するもので、図８，図１３，図１４等に示すように、例えば前装着板６７側の第１係合手段１１６ａと、ユニット本体部６６側に設けられ且つ第１係合手段１１６ａが係脱自在に係合可能な第１被係合手段１１６ｂとで構成されている。また、第２支持手段１１７，１１８は、ユニット本体部６６に対して前装着板６７を少なくとも台板７１に沿う方向（第２方向）に支持するもので、第２支持手段１１７については、図４，図８，図１３，図１４等に示すように、例えば前装着板６７側の第２係合手段１１７ａと、ユニット本体部６６側に設けられ且つ第２係合手段１１７ａが係脱自在に係合可能な第２被係合手段１１７ｂとで構成され、また第２支持手段１１８については、図４，図９，図１３，図１４等に示すように、例えば前装着板６７側の第３係合手段１１８ａと、誘導装飾体６８側に設けられ且つ第３係合手段１１８ａが係脱自在に係合可能な第３被係合手段１１８ｂとで構成されている。
【００７４】
第１係合手段１１６ａは、例えば前装着板６７の上縁側に沿って一又は複数個、例えば第２大入賞口５２の左側に二個、右側に一個の計三個配置され（第１部位）、前装着板６７の背面側から後向きに突出し且つ略下向きに屈曲する略Ｌ字型のフック状に形成されている。また、第１被係合手段１１６ｂは、第１係合手段１１６ａに対応してユニット本体部６６側の上面側に一又は複数個（ここでは三個）配置されており、例えばフック状の第１係合手段１１６ａが上側から係合可能な凹状に形成されている。
【００７５】
なお、ユニット本体部６６には、少なくとも第１被係合手段１１６ｂに対応する一部の領域に、台板７１の突出部７１ａが存在しない台板欠損部７１ｂが形成されている。そして、前装着板６７側に、その台板欠損部７１ｂを埋めてその左右の突出部７１ａと繋がる台板形成部７１ｃが一体に設けられ、その台板形成部７１ｃに対応して第１係合手段１１６ａが設けられている。これにより、前装着板６７がユニット本体部６６に装着された状態では第１係合手段１１６ａと第１被係合手段１１６ｂとの係合部分は台板形成部７１ｃによって覆われ、前側から視認不可能な状態となる。
【００７６】
また、第２係合手段１１７ａは、例えば前装着板６７の下縁側に沿って一又は複数個、例えば左右両端側に各一個の計二個配置され（第２部位）、例えば背面側に設けられた前向きの凹部で構成されている。なお、前装着板６７の下縁側には、誘導装飾体装着領域１１２側に突出する突出部１１９が一又は複数、例えば三つ設けられており、それら突出部１１９のうちの少なくとも一つ、例えば左右二つの突出部１１９に第２係合手段１１７ａが設けられている。また、第２被係合手段１１７ｂは、第２係合手段１１７ａに対応して台板７１の前面側に一又は複数（ここでは二個）配置されており、例えば凹部よりなる第２係合手段１１７ａが前側から係合可能な突起状に形成されている。
【００７７】
前装着板６７をユニット本体部６６に装着する際には、まず前装着板６７側の第１係合手段１１６ａをユニット本体部６６側の第１被係合手段１１６ｂに上側から引っ掛けて係合させ、その状態で前装着板６７の下部側を台板７１側に押し当てることにより、前装着板６７側の第２係合手段１１７ａをユニット本体部６６側の第２被係合手段１１７ｂに係合させればよい（図８参照）。
【００７８】
このように、第２係合手段１１７ａを第２被係合手段１１７ｂに係合させた状態（第２支持手段１１７により第２部位を支持した状態）では第１係合手段１１６ａと第１被係合手段１１６ｂとの係合状態（第１支持手段１１６による第１部位の支持）を解除することはできないようになっている。また、第１係合手段１１６ａを第１被係合手段１１６ｂに係合させた状態（第１支持手段１１６により第１部位を支持した状態）で、第２係合手段１１７ａを第２被係合手段１１７ｂに係合させる（第２支持手段１１７による第２部位の支持）ことが可能となる。
【００７９】
なお、装飾シート１１３にも、例えばユニット本体部６６側の第２被係合手段１１７ｂに係合する係合部１１３ａが形成されており、係合部１１３ａを第２被係合手段１１７ｂに係合させた状態で装飾シート１１３を台板７１と前装着板６７との間に挟み込むことにより、装飾シート１１３の位置ずれを防止できるようになっている。
【００８０】
また、前装着板６７には、第２支持手段１１８を構成する第３係合手段１１８ａが設けられている。第３係合手段１１８ａは、図１３等に示すように、例えば前装着板６７の突出部１１９の先端側（下端側）に夫々設けられた左右及び前側への突起部により構成されている。
【００８１】
誘導装飾体６８は、発光レンズとしての機能、遊技球を誘導する機能、前装着板６７を固定する機能等を有するもので、台板７１の誘導装飾体装着領域１１２に対応してその前側に装着され、ねじ止め等により着脱可能に固定されている。
【００８２】
誘導装飾体６８は、台板７１における誘導装飾体装着領域１１２の前側が遊技球通過不可能となるように、台板７１の前側に略一定幅で突出しており、図９，図１３，図１４等に示すように、例えば台板７１に着脱自在に固定される後レンズ体１２１と、この後レンズ体１２１の前側に着脱自在に固定される前カバー１２２とを備えている。
【００８３】
後レンズ体１２１は、例えば透光性を有する合成樹脂製で、誘導装飾体装着領域１１２を略取り囲むように配置される前後方向略一定幅の周壁部１２３と、台板７１と略平行に配置され且つ周壁部１２３の前縁側にその内側を略塞ぐように一体に形成されるレンズ板１２４とを一体に備えており、周壁部１２３の後縁側を台板７１の前面に略当接させた状態で例えば台板７１の後側からねじ止めすることにより着脱自在に固定されている。また、後レンズ体１２１内には、レンズ板１２４の後側にＬＥＤ基板１２５が装着されている。なお、このＬＥＤ基板１２５に接続されたハーネスは、台板７１に形成された配線孔７５を経て後側へ引き出され、中継基板８６に接続される。
【００８４】
レンズ板１２４には、図１４等に示すように、例えば台板７１側の振り分け視認窓７４に対応して後向きに凹入する振り分け視認レンズ部１２４ａと、例えばＬＥＤ基板１２５側の各ＬＥＤ１２５ａに対応して所定の凹凸形状をなすＬＥＤレンズ部１２４ｂとが設けられている。ＬＥＤ基板１２５は、振り分け視認レンズ部１２４ａと干渉しない形状に形成され、後レンズ体１２１に対して後側から嵌め込まれている。なお、台板７１側の誘導装飾体装着領域１１２には、ＬＥＤ基板１２５の背面に略当接することによりＬＥＤ基板１２５を後レンズ体１２１内の所定位置に支持する突起状の基板支持部１２６が複数設けられている（図１３，図１４参照）。
【００８５】
後レンズ体１２１の周壁部１２３のうち、例えば前装着板６７の下縁側に沿って配置される上周壁部１２３ａは、図２，図４等に示すように、例えばガイドレール１６に当接又は近接する一端側から遊技領域１７の内側に対応する他端側に向けて緩やかに傾斜しており、第２大入賞口５２に入賞することなく落下してきた遊技球を左右方向の一方側（左側）に向けて案内する遊技球案内手段を構成している。
【００８６】
また上周壁部１２３ａの後縁側には、図８，図９，図１３，図１４等に示すように、前装着板６７側の突出部１１９に対応する一又は複数（ここでは三つ）の切欠部１２７が設けられており、誘導装飾体６８が台板７１に装着されたとき、この切欠部１２７が突出部１１９に前側から係合することにより、前装着板６７の下端部の前側への移動を阻止している。即ち、誘導装飾体６８は、前装着板６７側の第２係合手段１１７ａと台板７１側の第２被係合手段１１７ｂとの係合状態を解除可能に保持する支持状態保持手段を構成している。
【００８７】
また、上周壁部１２３ａにおける切欠部１２７の縁部は第３被係合手段１１８ｂを構成しており、この第３被係合手段１１８ｂと、前装着板６７側に形成された突起状の第３係合手段１１８ａとが係合することにより、この誘導装飾体６８を介して、前装着板６７はユニット本体部６６に対して台板７１に沿う方向（第２方向）に支持される。
【００８８】
また上周壁部１２３ａの後縁側には、図１３，図１４等に示すように、例えば複数の切欠部１２７間に対応して一又は複数の位置決め突起１２８が形成されており、台板７１側に設けられた位置決め孔１２９に係脱自在に係合可能となっている。
【００８９】
前カバー１２２は、例えば透光性を有する合成樹脂製で、例えば後レンズ体１２１のレンズ板１２４に対してその前側に近接する前飾り板１２２ａを備え、後レンズ体１２１に対して例えば後側からねじ止め等により着脱自在に固定されている。この前カバー１２２には、例えばその前面側に任意の装飾が施されている。
【００９０】
以上説明した第２大入賞ユニット２４では、機種固有の装飾を施した前装着板６７（及び装飾シート１１３）を用いることで、台板７１を含むユニット本体部（遊技盤装着体）６６を複数の機種で共通化できる。もちろん、前装着板６７と共に誘導装飾体６８又はその前側の前カバー１２２を機種ごとに変更してもよい。
【００９１】
図１７及び図１８は本発明の第２の実施形態を例示し、第１の実施形態を一部変更して、前装着板６７の前側に、遊技球が入球可能に形成され且つ入球した遊技球を普通入賞開口部（開口部）７３に案内する特定入球手段１３１を設けた例を示している。
【００９２】
特定入球手段１３１は、普通入賞ユニット２５側と同様の普通入賞手段３６を構成するもので、台板７１側の普通入賞開口部７３（図１８）の前側に対応して前装着板６７に形成される前装着板開口部１３２と、この前装着板開口部１３２の前側に突設され且つ上向き開口状の普通入賞口１３３を有する入賞樋１３４とを備えている。入賞樋１３４には、図１８に示すように、普通入賞口１３３に入賞した遊技球を後方の前装着板開口部１３２側に案内する入賞球案内部１３４ａが設けられている。なお、入賞樋１３４は、前装着板６７に一体に形成してもよいし、前装着板６７に対して着脱自在に装着してもよい。
【００９３】
普通入賞口１３３に入賞した遊技球は、入賞球案内部１３４ａに案内されて前装着板開口部１３２及び普通入賞開口部７３を通過し、普通案内通路８１によって遊技盤１５の後側に案内されて遊技球検出手段８３により検出され、普通排出通路８２から例えば下向きに排出される。
【００９４】
このように、第１の実施形態で用いた前装着板６７を、普通入賞樋（入球部）１３１付きの前装着板６７に変更するだけで、ユニット本体部（遊技盤装着体）６６を共通にして、第２大入賞ユニット２４に普通入賞手段３６を配置した機種にも対応できる。
【００９５】
図１９及び図２０は本発明の第３の実施形態を例示し、第１の実施形態を一部変更して、弾性押圧手段１０８（以下、第１弾性押圧手段１０８という）に加えて、ソレノイド本体（駆動本体）６１ａを可動鉄心６１ｂの長手方向に押圧する第２弾性押圧手段１４１を設けた例を示している。
【００９６】
本実施形態の駆動ケース９２には、例えば左壁部１０５における後ケース体９２ｂ側に第２弾性押圧手段１４１が一体に設けられている。即ち、後ケース体９２ｂの左壁部１０５側には、図２０に示すように、例えば上下一対のスリット１４２，１４２が前縁側から後向きに形成されており、それらスリット１４２，１４２の内側の舌状部分が第２弾性押圧手段１４１となっている。
【００９７】
第２弾性押圧手段１４１は、その先端側の内面側に、突起状の押圧部１４１ａと、その押圧部１４１ａから先端部にかけて外向きに傾斜する傾斜部１４１ｂとを一体に備えており、駆動ケース９２に開閉駆動手段６１を収容する際に、傾斜部１４１ｂに案内されて押圧部１４１ａがソレノイド本体６１ａの端面に当接し、第２弾性押圧手段１４１が外向きに弾性変形することにより、ソレノイド本体６１ａは駆動手段収容部８８内で右向きに弾性付勢される。これにより、ソレノイド本体６１ａはその可動鉄心６１ｂ側の面が右壁部（対向支持手段）１０６に当接した状態に位置決めされ、またその状態が保持される。従って、例えば駆動手段収容部８８とソレノイド本体６１ａとの間に左右方向、即ち可動鉄心６１ｂの軸方向のガタがあったとしても、ソレノイド本体６１ａを確実に所定位置に保持することができ、可動鉄心６１ｂ側の係合手段９９と駆動側連動部材９３側の被係合手段１００との連動状態を確実に維持できる。
【００９８】
なお、ソレノイド本体６１ａは、第１の実施形態と同様、第１弾性押圧手段１０８によって駆動手段収容部８８内で前向きに弾性付勢され、その前面側が前壁部（対向支持手段）１０１に当接した状態に位置決めされ、またその状態が保持される。
【００９９】
以上、本発明の実施形態について詳述したが、本発明はこれらの実施形態に限定されるものではなく、本発明の趣旨を逸脱しない範囲で種々の変更が可能である。例えば、前装着板の装着対象である遊技盤装着体は大入賞手段のユニットにおけるユニット本体部である必要はなく、普通入賞ユニット２５等、他の入賞手段のユニットにおけるユニット本体部であってもよいし、入賞手段を備えない例えばサイドランプユニットにおけるユニット本体部等であってもよい。
【０１００】
実施形態では台板７１に普通入賞開口部７３を設けた例を示したが、入賞手段用の開口部は設けなくてもよい。
【０１０１】
前装着板６７は共通で装飾シート１１３のみを機種ごとに異ならせてもよい。また、装飾シート１１３は設けなくてもよい。
【０１０２】
弾性押圧手段１０８，１４１の押圧対象となる駆動手段は、大入賞手段以外の開閉式入賞手段における開閉駆動手段であってもよいし、振り分け片５６を駆動する振り分け駆動手段５７等、入賞手段の開閉手段以外の可動体を駆動する駆動手段であってもよい。また、この駆動手段は電磁ソレノイドに限られるものではなく、ステッピングモータ等の他の駆動手段でもよい。
【０１０３】
弾性押圧部材は、例えば駆動手段収容部８８の内面側に装着した板バネ等により構成してもよい。
【０１０４】
また、本発明はパチンコ機に限らず、アレンジボール機、雀球遊技機等の弾球遊技機の他、スロットマシン等の各種遊技機において同様に実施することが可能である。
【符号の説明】
【０１０５】
５１    開閉部材（可動体）
６１    開閉駆動手段（駆動手段）
６１ａ  ソレノイド本体（駆動本体）
６１ｂ  可動鉄心（駆動部材）
６２    連動手段
６９    ベース体
８７    収容部材
８９    連動手段収容部
８９ａ  第１連動手段収容部（駆動部材収容部）
９２ａ  前ケース体（第１部材）
９２ｂ  後ケース体（第２部材）
９９    係合手段
１００    被係合手段
１０１    前壁部（対向支持手段）
１０６    右壁部（対向支持手段）
１０８    第１弾性押圧手段（弾性押圧手段）
１４１    第２弾性押圧手段（弾性押圧手段）
【図１】
0005926309.tif 000002
【図２】
0005926309.tif 000003
【図３】
0005926309.tif 000004
【図４】
0005926309.tif 000005
【図５】
0005926309.tif 000006
【図６】
0005926309.tif 000007
【図７】
0005926309.tif 000008
【図８】
0005926309.tif 000009
【図９】
0005926309.tif 000010
【図１０】
0005926309.tif 000011
【図１１】
0005926309.tif 000012
【図１２】
0005926309.tif 000013
【図１３】
0005926309.tif 000014
【図１４】
0005926309.tif 000015
【図１５】
0005926309.tif 000016
【図１６】
0005926309.tif 000017
【図１７】
0005926309.tif 000018
【図１８】
0005926309.tif 000019
【図１９】
0005926309.tif 000020
【図２０】
0005926309.tif 000021